(57)【特許請求の範囲】
【請求項１】
ドレーン打設ケーシングと、この打設ケーシングの先端部に設けた破砕ビットを有するブレーカと、上記破砕ビットの一側に配置したボードドレーンとより成ることを特徴とするドレーン打設装置。
【請求項２】
ドレーン打設ケーシングと、この打設ケーシングの先端部に設けた破砕ビットを有するブレーカと、上記破砕ビットを上記ケーシング内に格納せしめる手段と、上記破砕ビットの一側に配置したボードドレーンとより成ることを特徴とするドレーン打設装置。
【請求項３】
破砕ビットを先端部に設けたブレーカと共にケーシングをボードドレーンと共に硬質地盤に打設する工程と、
上記ブレーカの破砕ビットによって上記硬質地盤を破砕する工程と、
上記ケーシングとブレーカをボードドレーンと共に軟弱地盤に打設する工程と、
上記ドレーンを残して上記ケーシングとブレーカを上記軟弱地盤から引き抜く工程と
より成ることを特徴とするドレーン打設方法。
【請求項４】
破砕ビットを先端部に設けたブレーカを収納したケーシングをボードドレーンと共に硬質地盤に打設する工程と、
上記ブレーカの破砕ビットを上記ケーシング外に突出して上記硬質地盤を破砕する工程と、
上記ケーシングをボードドレーンと共に軟弱地盤に打設する工程と、
上記ドレーンを残して上記ケーシングを上記軟弱地盤から引き抜く工程と
より成ることを特徴とするドレーン打設方法。
【発明の詳細な説明】
【０００１】
【発明の属する技術分野】
本発明はドレーン打設方法及び装置、特に、先行削孔を必要としないドレーン打設方法及び装置に関するものである。
【０００２】
【従来の技術】
従来、軟弱地盤を改良するため軟弱地盤にペーパーやプラスチックボードドレーンを打設することが行なわれている。
【０００３】
然しながら、上記従来の打設装置は硬度を示すＮ値０の超軟弱地盤からＮ値１５のやや硬い地盤までが適応可能土質であり、ケーシングで打ち抜くことが不可能な、泥岩混じり粘性土地盤、セメント系固化処理土下部地盤、砂礫層下部地盤等の硬質土混じり地盤に対しては、アースオーガーやＨ型鋼で先行削孔を行い、もしくは硬質地盤に適応可能な大型打設機やケーシング上部にバイブロハンマを装備した打設機を用いるという手段がとられている。
【０００４】
図８は従来のケーシング方式ドレーン打設装置を示し、１は硬質地盤、２はその下方の軟弱地盤、３は上記硬質地盤１上に載置したケーシング方式ドレーン打設装置、４はその先端が上記軟弱地盤２に達するよう上記ドレーン打設装置３から打設されるケーシング、５はこのケーシング４内に挿通した、その先端にドレーンアンカーを有するプラスチックボードドレーン、６は別途用いる削孔機、７はそのアースオーガーである。
【０００５】
【発明が解決しようとする課題】
上記のように別途用いる機械による先行削孔を行う場合には、工事費の大幅な増加が課題であり、また、保有台数の少ない大型打設機を用いる場合には、機械台数が少なく使用台数上の制限を受けることによる工期の遅延、機械重量が大きいことによる地盤支持力不足などが課題となる。
【０００６】
本発明の目的は上記の課題を解決することにある。
【０００７】
【課題を解決するための手段】
本発明のドレーン打設装置は、ドレーン打設ケーシングと、この打設ケーシングの先端部に設けた破砕ビットを有するブレーカと、上記破砕ビットの一側に配置したボードドレーンとより成ることを特徴とする。
【０００８】
また、本発明のドレーン打設装置は、ドレーン打設ケーシングと、この打設ケーシングの先端部に設けた破砕ビットを有するブレーカと、上記破砕ビットを上記ケーシング内に格納せしめる手段と、上記破砕ビットの一側に配置したボードドレーンとより成ることを特徴とする。
【００１０】
また、本発明のドレーン打設方法は、破砕ビットを先端部に設けたブレーカと共にケーシングをボードドレーンと共に硬質地盤に打設する工程と、上記ブレーカの破砕ビットによって上記硬質地盤を破砕する工程と、上記ケーシングとブレーカをボードドレーンと共に軟弱地盤に打設する工程と、上記ドレーンを残して上記ケーシングとブレーカを上記軟弱地盤から引き抜く工程とより成ることを特徴とする。
【００１１】
また、本発明のドレーン打設方法は、破砕ビットを先端部に設けたブレーカを収納したケーシングをボードドレーンと共に硬質地盤に打設する工程と、上記ブレーカの破砕ビットを上記ケーシング外に突出して上記硬質地盤を破砕する工程と、上記ケーシングをボードドレーンと共に軟弱地盤に打設する工程と、上記ドレーンを残して上記ケーシングを上記軟弱地盤から引き抜く工程とより成ることを特徴とする。
【００１３】
【発明の実施の形態】
以下図面によって本発明の実施例を説明する。
【００１４】
本発明のドレーン打設装置の実施例においては、図１〜図３に示すようにケーシング４の先端中央部をやりの穂先状の鋭頭部４′とし、上記ケーシング４内の一側を通してボードドレーン５を延ばし、ケーシング４内から上記鋭頭部４′の上方一側から外部にボードドレーン５を引き出すようにする。上記ケーシング４の断面を例えば四角形とし、その先端部を先端に向かうに従って次第に例えば断面菱形状に縮径せしめて例えば断面菱形の先端開口８を形成せしめ、ケーシング４内に配置した油圧や空気圧で作動する削岩機等のブレーカ９に連結された断面菱形の鋭頭部を有する破砕ビット１０を上記ケーシングの開口８を介してケーシング４から突出せしめる。
【００１８】
なお１１はケーシング４の先端部に形成した排泥孔、１２はボードドレーン５の引き出し部分でケーシング４の前後面に形成した先端爪、１３はドレーンアンカーである。
【００１９】
本発明の実施例におけるドレーン打設装置は上記のような構成であるから、その使用に際しては、ケーシング４をプラスチックボードドレーン５と共に打設し、破砕ビット１０の先端が硬質地盤１に到達したら、ブレーカ９によって破砕ビット１０を上下に振動し、硬質地盤１を破砕しながらケーシング４の貫入を続け、ケーシング４の先端が硬質地盤１を抜け、軟弱地盤２に到達したら、ケーシング先端が所定の打設深度に到達した時点でケーシング４を引き抜きドレーン５の打設を完了する。このときドレーン５は、その先端に設けたドレーンアンカー１３の作用で軟弱地盤２内にそのまま止まるようになる。
【００２０】
本発明のドレーン打設装置の他の実施例においては、図４及び図５に示すようにケーシング４の先端部両側にブレーカ９と破砕ビット１０を設ける。
【００２１】
この実施例の作用は先の実施例の作用と同様である。
【００２２】
図６は本発明の更に他の実施例を示し、この実施例においては破砕ビット１０をケーシング４内に格納可能に取り付け、この破砕ビット１０の進退操作を制御するシリンダ１４を上記ケーシング４内に設ける。なお、１５は上記シリンダ１４のピストンロッドである。
【００２３】
本発明の上記更に他の実施例におけるドレーン打設装置は上記のような構成であるから、その使用に際しては、図７に示すようにケーシング４の先端部内に油圧や空気圧で作動するブレーカ９の破砕ビット１０を収納した状態でプラスチックボードドレーン５の打設を開始し、ケーシング４の先端が硬質地盤１に到達したら、図６に示すようにブレーカ９の破砕ビット１０をケーシング４外に突出して上下動作動し、硬質地盤１を破砕しながらケーシング４の貫入を続け、ケーシング４の先端が硬質地盤１を抜け、軟弱地盤２に到達したら、貫入抵抗低減を目的として必要に応じてブレーカ９の破砕ビット１０をケーシング４内に収納してケーシング貫入を行ない、ケーシング先端が所定の打設深度に到達した時点でブレーカ９の破砕ビット１０の収納状態でケーシング４を引き抜き、ドレーン５の打設を完了する。
【００２６】
【発明の効果】
上記のように本発明のドレーン打設方法及び装置によれば、従来施工が困難とされてきたＮ値１５（やや硬い）以上の硬質地盤、硬質土塊や障害物混じりの地盤に対して、別途機械による先行削孔または大型機械を使用することなく、重量３０ｔ程度の汎用機械を用いての施工が可能となり、これにより、汎用機械の適応土質範囲が広がり、施工の信頼性が高まり、工期短縮および工事費の削減が達成される等大きな利益がある。
【図面の簡単な説明】
【図１】  本発明の実施例におけるドレーン打設装置の要部の縦断正面図である。
【図２】  図１に示すドレーン打設装置の縦断側面図である。
【図３】  図１に示すドレーン打設装置の底面図である。
【図４】  本発明の他の実施例におけるドレーン打設装置の要部の縦断面図である。
【図５】  図４に示すドレーン打設装置の横断平面図である。
【図６】  本発明のドレーン打設装置の更に他の実施例の要部の縦断面図である。
【図７】  図６に示すドレーン打設装置においてブレーカの破砕ビットを収納した状態の縦断面図である。
【図８】  従来のドレーン打設装置の説明図である。
【符号の説明】
１   硬質地盤
２   軟弱地盤
３   ドレーン打設装置
４   ケーシング
４′ 鋭頭部
５   ボードドレーン
６   削孔機
７   アースオーガー
８   先端開口
９   ブレーカ
１０   破砕ビット
１１   排泥孔
１２   先端爪
１３   ドレーンアンカー
１４   シリンダ
１５   ピストンロッド
【図１】
0003700160.tif 000002
【図２】
0003700160.tif 000003
【図３】
0003700160.tif 000004
【図４】
0003700160.tif 000005
【図５】
0003700160.tif 000006
【図６】
0003700160.tif 000007
【図７】
0003700160.tif 000008
【図８】
0003700160.tif 000009